(57)【要約】【課題】注入外管を継ぎ足してケーシング内に挿入する際に注入外管がケーシング内に落下する事態を回避しつつ、作業効率を向上させることができる注入外管の接続治具および接続方法を提供することである。【解決手段】ケーシング１０の上端部にこのケーシング１０の筒状空洞部に連通する開口部２を有するベース３を固定し、開口部２を貫通させて注入外管１１の上端部１１ａをこの開口部２の上方に突出させて注入外管１１をケーシング１０に挿入した状態にして、ベース３にスライド可能に取り付けられたスライド部４をロック位置に移動させて、このスライド部４により注入外管１１の上端部１１ａを保持し、この保持した注入外管１１の上端部１１ａに、継ぎ足す注入外管１１Ａの下端部を接続した後、スライド部４をロック解除位置に移動させて注入外管１１の保持を解除し、次いで、継ぎ足した注入外管１１Ａをケーシング１０に挿入する。【選択図】図１
2016006254.tif 000002
【特許請求の範囲】
【請求項１】
複数の注入外管を継ぎ足しながら地盤に打設された筒状のケーシングに挿入する際に使用する注入外管の接続治具であって、
前記ケーシングの上端部に固定されて、このケーシングの筒状空洞部に連通する開口部を有するベースと、このベースにスライド可能に取り付けられてロック位置とロック解除位置とに移動するスライド部とを備え、前記ケーシングに挿入され前記開口部を貫通してこの開口部の上方に突出する注入外管の上端部が、前記ロック位置に移動させた前記スライド部により保持され、このスライド部を前記ロック解除位置に移動させることにより前記注入外管の上端部の保持が解除される構成にしたことを特徴とする注入外管の接続治具。
【請求項２】
前記スライド部を前記ロック位置で固定するストッパを備えた請求項１に記載の注入外管の接続治具。
【請求項３】
前記スライド部により保持された前記注入外管の上方移動を規制する浮き上り防止部を備えた請求項１または２に記載の注入外管の接続治具。
【請求項４】
前記浮き上り防止部が、前記スライド部により保持された注入外管の長手方向を回転軸方向として回転可能に前記ベースに設置され、継ぎ足す注入外管の下端部が当接して前記浮き上り防止部と一体的に回転する当接部を前記浮き上り防止部の側方に備えた請求項３に記載の注入外管の接続治具。
【請求項５】
前記浮き上り防止部が、前記スライド部により保持された注入外管の上端上方の位置で水平方向に移動可能に前記ベースに設置された請求項３に記載の注入外管の接続治具。
【請求項６】
複数の注入外管を継ぎ足しながら地盤に打設された筒状のケーシングに挿入する注入外管の接続方法であって、
前記ケーシングの上端部にこのケーシングの筒状空洞部に連通する開口部を有するベースを固定し、前記開口部を貫通させて前記注入外管の上端部をこの開口部の上方に突出させて前記注入外管を前記ケーシングに挿入した状態にして、前記ベースにスライド可能に取り付けられたスライド部をロック位置に移動させて、このスライド部により前記注入外管の上端部を保持し、この保持した注入外管の上端部に、継ぎ足す注入外管の下端部を接続した後、前記スライド部をロック解除位置に移動させて前記注入外管の上端部の保持を解除し、次いで、継ぎ足した注入外管を前記ケーシングに挿入し、必要な長さになるまで注入外管の継ぎ足しおよび継ぎ足した注入外管の前記ケーシングへの挿入を繰り返し行なうことを特徴とする注入外管の接続方法。
【請求項７】
前記スライド部を前記ロック位置に移動させた際に、ストッパにより固定する請求項６に記載の注入外管の接続方法。
【請求項８】
前記スライド部により前記注入外管を保持した際に、この注入外管の上端上に浮き上り防止部を配置して注入外管の上方移動を規制する請求項６または７に記載の注入外管の接続方法。
【請求項９】
前記浮き上り防止部を、前記スライド部により保持された注入外管の長手方向を回転軸方向として回転可能に前記ベースに設置し、前記浮き上り防止部の側方に設けた当接部に、継ぎ足す注入外管の下端部を当接させてこの当接部を前記浮き上り防止部と一体的に回転させることにより、前記浮き上り防止部を前記注入外管の上端上から外れた位置に移動させて前記注入外管の上方移動の規制を解除するとともに、前記継ぎ足す注入外管の下端部を、前記スライド部により保持された注入外管の上端の上方位置に移動させる請求項８に記載の注入外管の接続方法。
【請求項１０】
前記浮き上り防止部を、前記スライド部により保持された注入外管の上端上方の位置で水平方向に移動可能に前記ベースに設置し、前記注入外管の上端上に移動させた前記浮き上り防止部を前記注入外管の上端に当接させてこの注入外管の上方移動を規制し、この浮き上り防止部を前記注入外管の上端上から外れた位置に移動させることにより、前記注入外管の上方移動の規制を解除するとともに、継ぎ足す注入外管の下端部を、前記スライド部により保持された注入外管の上端の上方位置に移動させる請求項８に記載の注入外管の接続方法。
【発明の詳細な説明】
【技術分野】
【０００１】
本発明は、地盤に打ち込まれたケーシング内に複数の注入外管を継ぎ足しながら挿入する際に使用する注入外管の接続治具および接続方法に関し、詳しくは注入外管を継ぎ足してケーシング内に挿入する際に注入外管がケーシング内に落下する事態を回避しつつ、作業効率を向上させることができる注入外管の接続治具および接続方法に関するものである。
【背景技術】
【０００２】
地盤の所定の領域に地盤改良薬液を注入して、地盤改良を行う方法が知られている（例えば特許文献１参照）。特許文献１に記載の方法は、まず削孔機で所定の長さのケーシングを継ぎ足しながら地盤に打ち込むことにより地盤を削孔する。地盤の削孔が完了した後に、このケーシングの内側に所定の長さの注入外管を継ぎ足しながら必要長さになるまで挿入し、次いでケーシングを地盤から引き抜くことにより、地盤中に注入外管を設置する。その後、この注入外管の内側に注入内管を挿入して、この注入内管を介して供給した薬剤を、注入外管に形成された注入口を通じて地盤に注入する。
【０００３】
従来、ケーシング内に注入外管を継ぎ足しつつ挿入する作業は２名の作業員により行われていた。１名の作業員がケーシング内に挿入された注入外管をケーシング内に落下しないように支え、もう１名の作業員がこの注入外管の上端部に、継ぎ足す注入外管の下端部を接続する作業を行っていた。継ぎ足す注入外管の接続作業が完了した後に、接続した注入外管をケーシング内に挿入し、次の継ぎ足す注入外管をその上端に接続する作業を繰り返して、必要長さの注入外管が地盤中に設置されることになる。
【０００４】
ケーシング内に挿入されて、追加の注入外管が接続されるのを待つ注入外管は、作業員により支えられているだけなので、注入外管どうしの接続作業やケーシング内に挿入する作業の際に、誤ってケーシング内に落下されるという不具合が発生する可能性がある。
【０００５】
注入外管をケーシング内に落下させてしまった場合は、注入外管を引き上げなければならないため、追加的な作業時間が必要になり、作業効率を低下させる大きな要因となっていた。
【０００６】
また注入外管を接続する作業には複数の作業員が必要となるので、作業員数の観点からも作業効率が良好とはいえない。
【先行技術文献】
【特許文献】
【０００７】
【特許文献１】特開２００９−２１５４号公報
【発明の概要】
【発明が解決しようとする課題】
【０００８】
本発明は上記の問題を鑑みてなされたものであり、その目的は注入外管を継ぎ足してケーシング内に挿入する際に注入外管がケーシング内に落下する事態を回避しつつ、作業効率を向上させることができる注入外管の接続治具および接続方法を提供することである。
【課題を解決するための手段】
【０００９】
上記の目的を達成するための本発明の注入外管の接続治具は、複数の注入外管を継ぎ足しながら地盤に打設された筒状のケーシングに挿入する際に使用する注入外管の接続治具
であって、前記ケーシングの上端部に固定されて、このケーシングの筒状空洞部に連通する開口部を有するベースと、このベースにスライド可能に取り付けられてロック位置とロック解除位置とに移動するスライド部とを備え、前記ケーシングに挿入され前記開口部を貫通してこの開口部の上方に突出する注入外管の上端部が、前記ロック位置に移動させた前記スライド部により保持され、このスライド部を前記ロック解除位置に移動させることにより前記注入外管の上端部の保持が解除される構成にしたことを特徴とする。
【００１０】
上記の目的を達成するための本発明の注入外管の接続方法は、複数の注入外管を継ぎ足しながら地盤に打設された筒状のケーシングに挿入する注入外管の接続方法であって、前記ケーシングの上端部にこのケーシングの筒状空洞部に連通する開口部を有するベースを固定し、前記開口部を貫通させて前記注入外管の上端部をこの開口部の上方に突出させて前記注入外管を前記ケーシングに挿入した状態にして、前記ベースにスライド可能に取り付けられたスライド部をロック位置に移動させて、このスライド部により前記注入外管の上端部を保持し、この保持した注入外管の上端部に、継ぎ足す注入外管の下端部を接続した後、前記スライド部をロック解除位置に移動させて前記注入外管の上端部の保持を解除し、次いで、継ぎ足した注入外管を前記ケーシングに挿入し、必要な長さになるまで注入外管の継ぎ足しおよび継ぎ足した注入外管の前記ケーシングへの挿入を繰り返し行なうことを特徴とする。
【発明の効果】
【００１１】
本発明によればケーシングに挿入されている注入外管を、接続治具のスライド部をロック位置に移動させることにより固定できるので、ケーシング内に注入外管が誤って落下する不具合を回避することができる。また作業員は接続治具のスライド部材により固定されている注入外管に継ぎ足す注入外管を接続すればよいため、この接続作業は１名の作業員により行うことができ、省人化するには有利である。
【００１２】
スライド部をロック位置で固定するストッパを備える構成にすることもできる。この構成によれば、より確実にスライド部をロック位置に固定できるので、一段と確実かつ安全に注入外管を保持できる。
【００１３】
接続治具がスライド部により保持された注入外管の上方移動を規制する浮き上り防止部を備える構成にすることもできる。この浮き上り防止部により、スライド部に保持された注入外管がケーシング内に流れ込んだ地下水から受ける浮力等により上方に飛び出す不具合を確実に防止してより安定して注入外管を保持できる。
【００１４】
浮き上り防止部が、スライド部により保持された注入外管の長手方向を回転軸方向として回転可能にベースに設置され、継ぎ足す注入外管の下端部が当接して浮き上り防止部と一体的に回転する当接部を浮き上り防止部の側方に備えた構成にすることもできる。スライド部により保持された注入外管に継ぎ足す注入外管を接続する際に、この継ぎ足す注入外管の下端部を当接部に当接させることにより、接続のために継ぎ足す注入外管をスライド部により保持された注入外管の軸線上に移動させる動作と、浮き上り防止部を回転させてスライド部により保持された注入外管の上端上から離れた位置に移動させる動作とを同時に行うことが可能となる。そのため、注入外管を連結する際の作業効率を向上するには有利となる。
【００１５】
浮き上り防止部が、スライド部により保持された注入外管の上端上方の位置で水平方向に移動可能にベースに設置された構成にすることもできる。この構成によれば、簡素なスライド部の構造でありながら、注入外管の浮き上りを防止しつつ、連結作業の効率化を図ることが可能になる。
【図面の簡単な説明】
【００１６】
【図１】本発明の接続治具を斜視で例示する説明図である。
【図２】図１の接続治具により注入外管の上端部を保持した状態を例示する説明図である。
【図３】図１の接続治具により注入外管の浮き上りを防止した状態を例示する説明図である。
【図４】図１の接続治具により注入外管の浮き上り防止を解除して継ぎ足す注入外管を配置した状態を例示する説明図である。
【図５】接続治具の別の実施形態を側面視で例示する説明図である。
【図６】図５のＡ矢視図である。
【図７】浮き上り防止部の変形例を斜視で示す説明図である。
【発明を実施するための形態】
【００１７】
以下、本発明の注入外管の接続治具および接続方法を図に示した実施形態に基づいて説明する。
【００１８】
図１〜図４に例示する本発明の接続治具１は、ケーシング１０の上端に固定されてこのケーシング１０の筒状空洞部に連通する開口部２を有するベース３と、このベース３にスライド可能に取り付けられてロック位置とロック解除位置とに移動するスライド部４とを備えている。図１に示すスライド部４はロック解除位置にある。また図２〜４では、説明のため注入外管１１の一部を破線で示している。
【００１９】
ベース３は、ケーシング１０の筒状空洞部に挿入される筒状部５と、この筒状部５の上端面に設置される上板部６とを備えている。この上板部６には、筒状部５を介してケーシング１０の筒状空洞部に連通する開口部２が形成されている。さらに上板部６には、開口部２を挟んで対向する両端部に把持穴６ａが形成されている。スライド部４は、この上板部６の上面を水平方向にスライド可能に配置されている。
【００２０】
この実施形態では上板部６には支柱７が立設され、この支柱７の長手方向を回転軸方向として支柱７の上端に浮き上り防止部８が回転可能に設置されている。この浮き上り防止部８は、平面視において略楕円形状であり、その中心から離れた位置である周縁部に支柱７が連結されている。浮き上り防止部８の回転方向前方端部および後方端部となる位置には、平面視において円弧状に湾曲させた壁状の当接部９がそれぞれ立設されている。それぞれの当接部９は円弧状の凸面を対向させて浮き上り防止部８に固定されている。
【００２１】
接続治具１を使用する際には、図２に例示するようにまずベース３の筒状部５をケーシング１０の筒状空洞部に挿入して固定する。このとき作業員は２つの把持穴６ａを両手で把持して、接続治具１をケーシング１０に挿入する。接続治具１をケーシング１０に固定した際には、ベース３に形成される開口部２が筒状部５を介してケーシング１０の筒状空洞部と連通する状態となる。
【００２２】
ケーシング１０に接続治具１を固定する際には、例えば筒状部５をケーシング１０の上端から挿入して筒状部５の外周面とケーシング１０の内周面の間に生じる摩擦力により固定する。また、筒状部５の外周面にねじ山を形成してケーシング１０の内周面をねじ切りして、ケーシング１０に対して接続治具１を回転させながらねじ込んで固定する構成としてもよい。
【００２３】
接続治具１をケーシング１０の上端に固定した後に、ベース３の開口部２に注入外管１１を貫通させる。この注入外管１１は、その上端部１１ａが開口部２の上方に突出した状態となるまで、開口部２を貫通してケーシング１０内に挿入される。
【００２４】
この注入外管１１は、例えば塩化ビニル管等で形成され、外径は３６〜４０ｍｍ程度で、長さは２ｍ程度である。注入外管１１の上端部１１ａは、継ぎ足す注入外管１１Ａを連結するためにその内径および外径が拡大されて形成されている。そのため、注入外管１１の外周面には上端部１１ａと他の部分との境界に１〜２ｍｍ程度の段差が生じている。注入外管１１の大きさや形状は上記に限らず、地盤改良を行う規模等に応じて適宜変更することができる。
【００２５】
注入外管１１をケーシング１０内に挿入した後に、図１に例示するロック解除位置にあったスライド部４を、図２に例示するように注入外管１１と当接するロック位置にスライドさせる。このとき作業員は、スライド部４の上面に設置された取手１２を掴みスライド部４を水平方向にスライドさせる。
【００２６】
このスライド部４には注入外管１１と当接する側面に、この注入外管１１の外周面と同一の曲率を有する円弧状の切欠きが形成されていて、この切欠きを注入外管１１の外周面に当接させる。スライド部４にこの切欠きが形成されていなくてもよいが、切欠きを形成した方が注入外管１１を保持する領域が増加し、注入外管１１を安定的に保持するには有利となる。
【００２７】
ロック位置にあるスライド部４は、注入外管１１の上端部１１ａの境界に形成された段差に嵌り込む。これにより、上端部１１ａはスライド部４に載置された状態になって注入外管１１は下方移動しないように保持される。
【００２８】
開口部２を挟んでスライド部４と対向する位置の上板部６の上面に、スライド部４により水平方向に押される注入外管１１を支持する受け部１３を設置することが望ましい。この受け部１３は、開口部２の周縁に設置され、望ましくはスライド部４に形成された切欠きと同様の切欠きを形成する。切欠きを形成された受け部１３の方が注入外管１１を保持する領域が増加し、注入外管１１を安定的に保持するには有利となる。スライド部４および受け部１３にそれぞれ形成される切欠きの形状は、上記に限らず適宜変更することができる。
【００２９】
この実施形態では注入外管１１は、注入外管１１の外周面であって上端部１１ａの境界に形成される段差に、スライド部４および受け部１３の天面を接触させて保持される。スライド部４と受け部１３とこれらに挟まれる注入外管との間の接触面に生じる摩擦力により、注入外管１１を保持する構成としてもよい。この構成により、段差のない注入外管１１であっても保持することができる。また注入外管１１と接触するスライド部４および受け部１３の接触面にゴムや複数の突状体等で構成する滑り止め部材を配置して、スライド部４等に保持される注入外管１１の外周面との間に生じる摩擦力を増加させる構成にすることもできる。
【００３０】
注入外管１１と接触するスライド部４および受け部１３の接触面にゴムやウレタン等の弾性部材を配置する構成にしてもよい。弾性変形する弾性部材を配置することで、管径の異なる注入外管１１をケーシング１０に挿入する場合であっても、この注入外管１１をスライド部４等で挟んで保持することが可能となる。また弾性部材の配置により、スライド部４および受け部１３と注入外管１１との間に生じる摩擦力を増加させることができるので、注入外管１１を安定的に保持することができる。この弾性部材を表面の摩擦抵抗の大きいゴムやウレタン等で構成した場合には、この弾性部材は前述の滑り止め部材としても機能するので、注入外管１１を安定的に保持するには有利となる。
【００３１】
図２に例示するように、スライド部４の底面で取手１２の下方となる位置に、鉛直下向
きに突設されるストッパ１４を設置することもできる。この実施形態ではストッパ１４は、スライド部４の天面に突設され取手１２の一部を構成する２本の円柱状部材を、スライド部４の底面側に貫通させて構成している。ストッパ１４は、スライド部４をロック位置に移動させた際に、開口部２内に挿入される状態となる。このストッパ１４の側面が開口部２の内側側壁と接触することで、スライド部４が注入外管１１から離れる方向に移動することを防止している。
【００３２】
ストッパ１４の設置により、スライド部４に保持される注入外管１１に衝撃や振動等が生じた場合であっても、この衝撃等によりスライド部４がロック位置から移動してしまい保持された注入外管１１がケーシング１０内に落下する不具合を回避できる。
【００３３】
次いで図３に例示するように、注入外管１１がスライド部４により固定された後に、支柱７に回転可能に設置される浮き上り防止部８を、スライド部４に保持された注入外管１１の上方の少なくとも一部を覆う浮き上り防止位置に回転させる。
【００３４】
浮き上り防止部８は、スライド部４により保持される注入外管１１が、地盤に打設されたケーシング１０内に流れ込んだ地下水から浮力を受け、上方に飛び出すことを防止できる。ケーシング１０内に地下水が流れ込むおそれのない場合は、接続治具１にこの浮き上り防止部８を設置しない構成にすることもできる。
【００３５】
また注入外管１１と接触するスライド部４および受け部１３の接触面に前述した滑り止め部材や弾性部材を配置することにより、注入外管１１の外周面とスライド部４等との間に十分な摩擦力が得られる場合は、浮き上り防止部８を設置しなくても、スライド部４により保持される注入外管１１が上方に飛び出すことを抑制できる。
【００３６】
次いでスライド部４により保持された注入外管１１に他の注入外管１１Ａを継ぎ足す際には、平面視において円弧状に形成される当接部９の凹部に継ぎ足す注入外管１１Ａの外周面を当接させながら、図４に例示するように継ぎ足す注入外管１１Ａをスライド部４等に保持された注入外管１１上に移動させる。
【００３７】
継ぎ足す注入外管１１Ａにより当接部９が押されると、当接部９が固定される浮き上り防止部８は鉛直方向を中心軸として回転して、スライド部４等により保持された注入外管１１の中心軸線上から離れた場所となる解除位置に移動する。
【００３８】
浮き上り防止部８の浮き上り防止位置から解除位置への移動は、継ぎ足す注入外管１１Ａをスライド部４等により保持された注入外管１１の軸線上に移動させる作業に伴い実現される。つまり、浮き上り防止部８の解除位置への移動は継ぎ足す注入外管１１Ａの移動と一体的に実現され、作業員は浮き上り防止部８を移動させるための特別な作業を行う必要がないので、注入外管１１、１１Ａを連結する際の作業性を向上するには有利となる。
【００３９】
この実施形態では浮き上り防止部８を回転させる際に回転方向前方および後方となる両側面に当接部９を配置しているので、浮き上り防止部８の両側面のいずれの方向からも継ぎ足す注入外管１１Ａを当接させて浮き上り防止部８を回転させることができる。この浮き上り防止部８を支柱７に固定して、支柱７の軸方向を回転軸方向として支柱７を上板部６に回転可能に設置する構成としてもよい。
【００４０】
継ぎ足す注入外管１１Ａの下端部の外周面には接着剤が予め塗布され、継ぎ足す注入外管１１Ａの下端部をスライド部４等に保持される注入外管１１の上端部１１ａに挿入することにより、注入外管１１、１１Ａどうしが固定される。
【００４１】
注入外管１１、１１Ａどうしの連結は上記に限らない。例えば継ぎ足す注入外管１１Ａの下端部の外周面に水平方向に突出する突起を設置し、スライド部４等に保持された注入外管１１の上端から下方に切り込み、その後周方向に切り込んだ略Ｌ字型の溝を形成し、この溝に突起を沿わせて注入外管１１、１１Ａどうしを連結する構成にすることもできる。この構成では、継ぎ足す注入外管１１Ａをスライド部４等に保持された注入外管１１に挿入した後に周方向に回転させることで、注入外管１１、１１Ａどうしの連結が完了する。この構成によれば、注入外管１１、１１Ａどうしの連結を解除することができるので、注入外管１１、１１Ａを回収する必要がある場合には有利である。
【００４２】
注入外管１１、１１Ａどうしの連結が完了した後、作業員はケーシング１０内に連結された注入外管１１、１１Ａが落下しないように支持しながら、スライド部４の取手１２を引き上げてその後水平方向に移動させて、スライド部４をロック解除位置に移動させる。
【００４３】
この実施形態では、作業員が取手１２を把持してスライド部４の一端を上方に引きあげて、ストッパ１４を開口部２の上方に引きあげることで、ストッパ１４の側面と開口部２の内壁面との接触を解除できる。即ち、作業員はスライド部４をロック位置からロック解除位置に移動させる作業の一環としてストッパ１４を解除できるので、作業性を向上するには有利となる。
【００４４】
ストッパ１４の構成は上記に限らず、スライド部４をロック位置に固定する構成を有していればよい。例えば、スライド部４に設置される係合突起を上板部６に形成される係合凹部に係合させて、スライド部４を上板部６に固定する構成とすることもできる。
【００４５】
またスライド部４をロック位置で上板部６に固定するストッパ１４の他に、ロック解除位置で固定するストッパを設置する構成としてもよい。この構成により、例えばスライド部４をロック解除位置に移動させて注入外管１１、１１Ａをケーシング１０内に挿入する際に、ロック解除位置にあるスライド部４が不意にスライドして注入外管１１、１１Ａに衝突したり、注入外管１１、１１Ａの挿入を妨げたりする不具合等を回避することができる。
【００４６】
スライド部４をロック解除位置に移動した後、作業員は連結された注入外管１１、１１Ａをケーシング１０内に挿入し、その上端部を再びスライド部４により保持する。以上を繰り返して、作業員は複数の注入外管１１、１１Ａを連結しながらケーシング１０内に挿入していく。
【００４７】
図５および図６に例示する実施形態では、浮き上り防止部８は、上板部６に立設される２本の支柱７に対して水平方向に移動可能に配置されている。支柱７には水平方向に貫通孔を形成された固定部材１５が配置される。浮き上り防止部８は、この固定部材１５に挿入され、この固定部材１５に対して水平方向に移動可能に設置される。この実施形態では、浮き上り防止部８は平面視において長方形となる板状部材で構成されている。図５および図６では、説明のため注入外管１１の一部と筒状部５とを破線で示している。
【００４８】
注入外管１１をスライド部４により保持している場合には、浮き上り防止部８を固定部材１５から引き出して、この注入外管１１の上方の少なくとも一部を覆う位置である浮き上り防止位置に移動させる。継ぎ足す注入外管１１Ａをスライド部４等に保持される注入外管１１に連結する際には、注入外管１１Ａを保持されている注入外管１１と軸心を合わせて位置決めする。次いで、浮き上り防止部８を固定部材１５に押込んで、スライド部４等に保持される注入外管１１の上方から離れる解除位置に移動させる。
【００４９】
次いで、注入外管１１、１１Ａどうしを連結する。この浮き上り防止部８では、浮き上
り防止部８を解除位置に移動させた際に注入外管１１が浮力により浮き上っても、その上端部１１ａを注入外管１１Ａに自動的に入り込ませて連結することができる。
【００５０】
図７に例示するように、固定部材１５から引き出す際の浮き上り防止部８の前方側の側面に当接部９を設置する構成にすることもできる。この当接部９は、平面視において中央からその両端に向かって順次肉厚となる凹型に形成されている。この凹型に形成された中央に継ぎ足す注入外管１１Ａを当接させることで、継ぎ足す注入外管１１Ａをスライド部４等により保持された注入外管１１上に移動させながら、浮き上り防止部８を固定部材１５に押込んで解除位置に移動させることができる。
【符号の説明】
【００５１】
１     接続治具
２     開口部
３     ベース
４     スライド部
５     筒状部
６     上板部
６ａ   把持穴
７     支柱
８     浮き上り防止部
９     当接部
１０   ケーシング
１１、１１Ａ  注入外管
１１ａ 注入外管の上端部
１２   取手
１３   受け部
１４   ストッパ
１５   固定部材
【図１】
2016006254.tif 000003
【図２】
2016006254.tif 000004
【図３】
2016006254.tif 000005
【図４】
2016006254.tif 000006
【図５】
2016006254.tif 000007
【図６】
2016006254.tif 000008
【図７】
2016006254.tif 000009